Podtech/llm-jp-corpus-v4-ja_patent huggingface dataset:
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
第１導電性材料を含んでなり、画素領域に設けられた画素電極と、
前記画素電極に電気的に接続され、画素領域に設けられたスイッチングトランジスタと、
前記第１導電性材料と同一の材料を含んでなり、前記画素領域に所定電位を供給する第１導電層と、
前記画素領域の周辺に位置する周辺領域に配置され、イオン化傾向が前記第１導電性材料に比べて異なる第２導電性材料を含んでなる第２導電層と、
ソース及びドレインの一方が、前記第１導電層及び前記第２導電層の一方に電気的に接続されていると共に、前記ソース及び前記ドレインの他方が、前記第１導電層及び前記第２導電層の他方に電気的に接続されており、ゲートに電圧が印加されることで前記第１導電層及び前記第２導電層を中継接続する薄膜トランジスタと
を備えることを特徴とする電気光学装置。
【請求項２】
前記画素領域において、前記画素電極に一方の電極が接続され、他方の電極は第１の電位線に電気的に接続された保持容量をさらに備え、
前記第１導電層は、前記第１の電位線を構成することを特徴とする請求項１に記載の電気光学装置。
【請求項３】
前記画素電極及び前記第１導電層は、容量絶縁膜を介して対向配置されることにより前記保持容量を形成することを特徴とする請求項２に記載の電気光学装置。
【請求項４】
前記第１導電層は、前記画素領域において、互いに電位の異なる導電層間に生じる電界を遮断するシールド層を構成することを特徴とする請求項１に記載の電気光学装置。
【請求項５】
前記第１導電性材料は、ＩＴＯ（Indium Tin Oxide）であることを特徴とする請求項１から４のいずれか一項に記載の電気光学装置。
【請求項６】
前記第２導電層は、前記周辺領域に配置された外部接続用端子を構成することを特徴とする請求項１から５のいずれか一項に記載の電気光学装置。
【請求項７】
所定電位を供給する第２の電位線を備え、
前記ゲートは、前記第２の電位線に電気的に接続されている
ことを特徴とする請求項１から６のいずれか一項に記載の電気光学装置。
【請求項８】
前記薄膜トランジスタ及び前記スイッチングトランジスタを構成する夫々の半導体層は、互いに同一膜からなる
ことを特徴とする請求項１から７のいずれか一項に記載の電気光学装置。
【請求項９】
請求項１から８のいずれか一項に記載の電気光学装置を具備してなることを特徴とする電子機器。
【手続補正２】
【補正対象書類名】明細書
【補正対象項目名】０００７
【補正方法】変更
【補正の内容】
【０００７】
本発明の電気光学装置は上記課題を解決するために、第１導電性材料を含んでなり、画素領域に設けられた画素電極と、前記画素電極に電気的に接続され、画素領域に設けられたスイッチングトランジスタと、前記第１導電性材料と同一の材料を含んでなり、前記画素領域に所定電位を供給する第１導電層と、前記画素領域の周辺に位置する周辺領域に配置され、イオン化傾向が前記第１導電性材料に比べて異なる第２導電性材料を含んでなる第２導電層と、ソース及びドレインの一方が、前記第１導電層及び前記第２導電層の一方に電気的に接続されていると共に、前記ソース及び前記ドレインの他方が、前記第１導電層及び前記第２導電層の他方に電気的に接続されており、ゲートに電圧が印加されることで前記第１導電層及び前記第２導電層を中継接続する薄膜トランジスタと  を備えることを特徴とする。
また、本発明の電気光学装置は、上記の電気光学装置であって、前記画素領域において、前記画素電極に一方の電極が接続され、他方の電極は第１の電位線に電気的に接続された保持容量をさらに備え、前記第１導電層は、前記第１の電位線を構成してもよい。
また、本発明の電気光学装置は、上記の電気光学装置であって、前記画素電極及び前記第１導電層は、容量絶縁膜を介して対向配置されることにより前記保持容量を形成してもよい。
また、本発明の電気光学装置は、上記の電気光学装置であって、前記第１導電層は、前記画素領域において、互いに電位の異なる導電層間に生じる電界を遮断するシールド層を構成してもよい。
また、本発明の電気光学装置は、上記の電気光学装置であって、前記第１導電性材料は、ＩＴＯ（Indium Tin Oxide）であってもよい。
また、本発明の電気光学装置は、上記の電気光学装置であって、前記第２導電層は、前記周辺領域に配置された外部接続用端子を構成してもよい。
また、本発明の電気光学装置は、上記の電気光学装置であって、所定電位を供給する第２の電位線を備え、前記ゲートは、前記第２の電位線に電気的に接続されてもよい。
また、本発明の電気光学装置は、上記の電気光学装置であって、前記薄膜トランジスタ及び前記スイッチングトランジスタを構成する夫々の半導体層は、互いに同一膜からなってもよい。
本発明の電気光学装置は上記課題を解決するために、基板上に、第１導電性材料を含んでなり、画素領域に配列された複数の画素電極と、前記第１導電性材料と同一の材料を含んでなり、前記画素領域で電気光学動作を行うための配線、電極及び電子素子の少なくとも一部を構成する第１導電層と、イオン化傾向が前記第１導電性材料に比べて異なる第２導電性材料を含んでなり、前記配線、前記電極及び前記電子素子の少なくとも他の一部を構成する第２導電層と、ソース及びドレインの一方が、前記第１導電層及び前記第２導電 
層の一方に電気的に接続されていると共に、前記ソース及び前記ドレインの他方が、前記第１導電層及び前記第２導電層の他方に電気的に接続されており、ゲートに電圧が印加されることで前記第１導電層及び前記第２導電層を中継接続する薄膜トランジスタとを備える。
【手続補正書】
【提出日】平成23年6月7日(2011.6.7)
【手続補正１】
【補正対象書類名】特許請求の範囲
【補正対象項目名】全文
【補正方法】変更
【補正の内容】
【特許請求の範囲】
【請求項１】
スクリーン基板の前面側に２次元的に配置される球面状の凹面形状の複数の立体部を有するスクリーンであって、
前記複数の立体部のうち、少なくとも一部の隣接する立体部の境界部分は、当該隣接する立体部の凹面を延長して交差させることで形成される境界よりも低くなるように形成されている、スクリーン。
【請求項２】
前記少なくとも一部の隣接する立体部の境界部分の高さｈは、当該凹面の曲率半径をＲ、前記立体部の底部を通る中心線から当該凹面を延長して交差させることで形成される境界までの距離をｄとして、以下の式
2010085883.tif 000001
を満たす、請求項１記載のスクリーン。
【請求項３】
前記境界部分の高さは、投射光の入射角度に対応して前記スクリーンの面内で異なっている、請求項１及び請求項２のいずれか一項記載のスクリーン。
【請求項４】
前記スクリーン基板のうち、少なくとも前記複数の立体部の表面に入射する投射光に対応する領域上に形成される反射膜をさらに有する、請求項１から請求項３までのいずれか一項記載のスクリーン。
【請求項５】
スクリーン基板の前面側に２次元的に配置される球面状の凹面形状の複数の立体部を有するスクリーンの製造方法であって、
前記複数の立体部のうち、少なくとも一部の隣接する立体部の境界部分を当該隣接する立体部の凹面を延長して交差させることで形成される境界よりも低くするための高さ調整工程を有する、
スクリーンの製造方法。
【請求項６】
前記スクリーン基板を形成するための転写成形型を作製するスクリーン型作製工程と、
転写により前記転写成形型から前記スクリーン基板を形成するための前処理を行う転写前処理工程と
を備え、
前記高さ調整工程は、前記スクリーン型作製工程及び前記転写前処理工程のいずれかに含まれる、請求項５記載のスクリーンの製造方法。
【請求項７】
前記スクリーン型作製工程は、エッチング処理により前記複数の立体部の凹面形状に対応する形状を有する第１成形型を作製する第１成形型作製工程と、前記第１成形型を予備転写することにより前記スクリーン基板の転写のための第２成形型を前記転写成形型として作製する第２成形型作製工程とを含み、
前記高さ調整工程は、前記第１成形型作製工程及び前記第２成形型作製工程のいずれかに含まれる、請求項６記載のスクリーンの製造方法。
【請求項８】
前記第１成形型作製工程において、前記エッチング処理により形成される複数の球面状の凹形状のうち、隣接する凹形状間の境界の少なくとも一部を削ることにより、前記境界部分の高さ調整に対応した前記第１成形型を作製する、請求項７記載のスクリーンの製造方法。
【請求項９】
前記第２成形型作製工程において、前記第１成形型を予備転写して得られる予備転写型について、当該予備転写型上に形成される複数の球面状の凸形状のうち、隣接する凸形状間の溝の少なくとも一部を埋めることにより、前記境界部分の高さ調整に対応した前記第２成形型を作製する、請求項７記載のスクリーンの製造方法。
【請求項１０】
前記第２成形型作製工程において、粘性の調整された紫外線硬化樹脂により前記凸形状間の溝を埋めて硬化させる、請求項９記載のスクリーンの製造方法。
【請求項１１】
前記転写前処理工程において、前記転写成形型から前記スクリーン基板を剥離させるための離型剤を前記境界部分の高さ調整を行う領域に溜まるように塗布する、請求項６記載のスクリーンの製造方法。
【請求項１２】
前記転写前処理工程において、前記転写成形型の転写面の少なくとも一部にクロム膜被覆処理を施す、請求項６から請求項１１までのいずれか一項記載のスクリーンの製造方法。
【請求項１３】
前記転写前処理工程において、前記転写面のうち前記境界部分の高さ調整を行う領域以外の領域に対して前記クロム膜被覆処理を施し、前記境界部分の高さ調整を行う領域に対して離型剤を塗布する、請求項１２記載のスクリーンの製造方法。
【請求項１４】
前記高さ調整工程において、前記境界部分の高さを投射光の入射角度に対応して調整している、請求項５から請求項１３までのいずれか一項記載のスクリーンの製造方法。
【請求項１５】
前記スクリーン基板に入射する投射光の入射角度に対応する角度から成膜物質を射出して反射膜を成膜する反射膜形成工程をさらに有し、
前記高さ調整工程において、前記境界部分の高さは、前記成膜物質の射出角度に対応して調整されている、請求項５から請求項１４までのいずれか一項記載のスクリーンの製造方法。
【請求項１６】
スクリーン基板の前面側に２次元的に配置される球面状の凹面形状の複数の立体部を有するスクリーンであって、
前記複数の立体部のうち、少なくとも一部の隣接する立体部の境界部分は、当該隣接する立体部の凹面を延長して交差させることで形成される境界よりも低くなるように高さ調整されている、スクリーン。
【請求項１７】
前記少なくとも一部の隣接する立体部の境界部分の高さｈは、当該凹面の曲率半径をＲ、前記立体部の底部を通る中心線から当該凹面を延長して交差させることで形成される境界までの距離をｄとして、以下の式
2010085883.tif 000002
を満たす、請求項１６記載のスクリーン。
【請求項１８】
前記境界部分の高さ調整量は、投射光の入射角度に対応している、請求項１６及び請求項１７のいずれか一項記載のスクリーン。
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
基板上に、
画素の開口領域の中央寄りに位置する一の領域における膜厚が、前記一の領域の周辺に位置する他の領域における膜厚より小さくなるように形成されており、前記一の領域及び前記他の領域間に介在する境界領域において、前記一の領域及び前記他の領域に対して斜めに傾いた傾斜面を表面に有する絶縁膜と、
前記絶縁膜より上層側において前記画素に配置されており、前記基板上で平面的に見て、前記絶縁膜のうち少なくとも前記傾斜面に重なる領域を含むように夫々形成された画素電極と
を備えることを特徴とする電気光学装置。
【請求項２】
前記傾斜面は、所定の曲率を有する曲面であることを特徴とする請求項１に記載の電気光学装置。
【請求項３】
前記傾斜面は、前記基板上で平面的に見て、前記開口領域の端部に沿って形成されていることを特徴とする請求項１又は２に記載の電気光学装置。
【請求項４】
前記絶縁膜は、前記画素電極に比べて異なる屈折率を有する材料を含んで形成されていることを特徴とする請求項１から３のいずれか一項に記載の電気光学装置。
【請求項５】
前記開口領域の周辺に位置する非開口領域に、前記画素電極をスイッチング制御する薄膜トランジスタを備えることを特徴とする請求項１から４のいずれか一項に記載の電気光学装置。
【請求項６】
前記絶縁膜より下層側に形成された配線、電極及び電子素子の少なくとも一部を構成する導電層を備えることを特徴とする請求項１から５のいずれか一項に記載の電気光学装置。
【請求項７】
前記画素電極及び前記導電層は共に、ＩＴＯ（Indium Tin Oxide）を含んでなることを特徴とする請求項６に記載の電気光学装置。
【請求項８】
前記絶縁膜は、前記一の領域において部分的に除去されており、
前記画素電極及び前記導電層は、容量絶縁膜を介して対向配置されることにより保持容量を形成することを特徴とする請求項６又は７に記載の電気光学装置。
【請求項９】
前記一の領域は、前記基板上で平面的に見て、多角形状を有していることを特徴とする請求項１から８のいずれか一項に記載の電気光学装置。
【請求項１０】
前記一の領域は、前記基板上で平面的に見て、円形状を有していることを特徴とする請求項１から８のいずれか一項に記載の電気光学装置。
【請求項１１】
請求項１から１０のいずれか一項に記載の電気光学装置の製造方法であって、
基板上に、
配線、電極及び電子素子の少なくとも一部を構成する前記導電層を形成する第１工程と、
前記導電層の上層側に前記絶縁膜を形成する第２工程と、
前記絶縁膜のうち前記一の領域における膜厚が、前記他の領域における膜厚より小さくなり、前記一の領域及び前記他の領域間に介在する境界領域において、前記一の領域及び前記他の領域に対して斜めに傾いた傾斜面を表面に有するように前記絶縁膜をパターニングする第３工程と、
前記絶縁膜の上層側に、前記基板上で平面的に見て、前記絶縁膜のうち少なくとも前記傾斜面に重なる領域を含むように前記画素電極を形成する第４工程と
を備えることを特徴とする電気光学装置の製造方法。
【請求項１２】
前記第３工程において、前記第２工程において形成された前記絶縁膜の表面をウエットエッチングによって部分的に除去することを特徴とする請求項１１に記載の電気光学装置の製造方法。
【請求項１３】
請求項１から１０のいずれか一項に記載の電気光学装置を具備してなることを特徴とする電子機器。
【手続補正２】
【補正対象書類名】明細書
【補正対象項目名】０００７
【補正方法】変更
【補正の内容】
【０００７】
本発明の電気光学装置は上記課題を解決するために、基板上に、画素の開口領域の中央寄りに位置する一の領域における膜厚が、前記一の領域の周辺に位置する他の領域における膜厚より小さくなるように形成されており、前記一の領域及び前記他の領域間に介在する境界領域において、前記一の領域及び前記他の領域に対して斜めに傾いた傾斜面を表面に有する絶縁膜と、前記絶縁膜より上層側において前記画素に配置されており、前記基板上で平面的に見て、前記絶縁膜のうち少なくとも前記傾斜面に重なる領域を含むように夫々形成された画素電極とを備える。
【手続補正３】
【補正対象書類名】明細書
【補正対象項目名】００２２
【補正方法】変更
【補正の内容】
【００２２】
本発明の電気光学装置の他の態様では、前記開口領域の周辺に位置する非開口領域に、前記画素電極をスイッチング制御する薄膜トランジスタを備える。
【手続補正４】
【補正対象書類名】明細書
【補正対象項目名】００２４
【補正方法】変更
【補正の内容】
【００２４】
本発明の電気光学装置の他の態様では、前記絶縁膜より下層側に形成された配線、電極及び電子素子の少なくとも一部を構成する導電層を備える。
【手続補正５】
【補正対象書類名】明細書
【補正対象項目名】００３５
【補正方法】変更
【補正の内容】
【００３５】
本発明の電気光学装置の製造方法は上記課題を解決するために、基板上に、配線、電極及び電子素子の少なくとも一部を構成する前記導電層を形成する第１工程と、前記導電層の上層側に前記絶縁膜を形成する第２工程と、前記絶縁膜のうち前記一の領域における膜厚が、前記他の領域における膜厚より小さくなり、前記一の領域及び前記他の領域間に介在する境界領域において、前記一の領域及び前記他の領域に対して斜めに傾いた傾斜面を表面に有するように前記絶縁膜をパターニングする第３工程と、前記絶縁膜の上層側に、前記基板上で平面的に見て、前記絶縁膜のうち少なくとも前記傾斜面に重なる領域を含むように前記画素電極を形成する第４工程とを備える。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
複数の画素電極が設けられた第１の基板に、対向電極が設けられた第２の基板が、枠状のシール材を介して貼り合わされ、
前記第１の基板と前記第２の基板との間における前記シール材で囲まれた領域に、液晶が封入されている液晶表示装置であって、
第１の高さに形成され、前記液晶からなる液晶層の厚さを一定に保つ柱状スペーサと、
前記第１の高さよりも低い高さに形成されたダミースペーサと、
前記ダミースペーサと同一形状に形成された配向制御用突起と、
を備え、
前記複数の画素電極のそれぞれは、前記柱状スペーサと前記ダミースペーサとにおいて何れか一方のみが対応するように配置され、
前記配向制御用突起は、前記複数の画素電極のそれぞれに対応するように配置されていることを特徴とする液晶表示装置。
【請求項２】
前記柱状スペーサ、前記ダミースペーサ及び前記配向制御用突起は、前記対向電極上に形成されていることを特徴とする請求項１に記載の液晶表示装置。
【請求項３】
前記柱状スペーサ及び前記ダミースペーサは、前記柱状スペーサと前記ダミースペーサとの間において、対応する画素電極に対する配置位置が互いに等しくなるように配置されていることを特徴とする請求項１または２に記載の液晶表示装置。
【請求項４】
前記柱状スペーサ及び前記ダミースペーサは、前記画素電極に対して重ならない位置に配置され、
前記配向制御用突起は、前記画素電極に対して重なる位置に配置されていることを特徴とする請求項１から３の何れかに記載の液晶表示装置。
【手続補正２】
【補正対象書類名】明細書
【補正対象項目名】発明の名称
【補正方法】変更
【補正の内容】
【発明の名称】液晶表示装置
【手続補正３】
【補正対象書類名】明細書
【補正対象項目名】０００１
【補正方法】変更
【補正の内容】
【０００１】
この発明は液晶表示装置に関する。
【手続補正４】
【補正対象書類名】明細書
【補正対象項目名】０００７
【補正方法】変更
【補正の内容】
【０００７】
そこで、この発明は、柱状スペーサの有無に起因する表示ムラを解消し、且つ、開口率が低下しないようにすることができる液晶表示装置を提供することを目的とする。
【手続補正５】
【補正対象書類名】明細書
【補正対象項目名】０００８
【補正方法】変更
【補正の内容】
【０００８】
請求項１に記載の発明は、複数の画素電極が設けられた第１の基板に、対向電極が設けられた第２の基板が、枠状のシール材を介して貼り合わされ、前記第１の基板と前記第２の基板との間における前記シール材で囲まれた領域に、液晶が封入されている液晶表示装置であって、第１の高さに形成され、前記液晶からなる液晶層の厚さを一定に保つ柱状スペーサと、前記第１の高さよりも低い高さに形成されたダミースペーサと、前記ダミースペーサと同一形状に形成された配向制御用突起と、を備え、前記複数の画素電極のそれぞれは、前記柱状スペーサと前記ダミースペーサとにおいて何れか一方のみが対応するように配置され、前記配向制御用突起は、前記複数の画素電極のそれぞれに対応するように配置されていることを特徴とするものである。
請求項２に記載の発明は、請求項１に記載の液晶表示装置において、前記柱状スペーサ、前記ダミースペーサ及び前記配向制御用突起は、前記対向電極上に形成されていることを特徴とするものである。
請求項３に記載の発明は、請求項１または２に記載の液晶表示装置において、前記柱状スペーサ及び前記ダミースペーサは、前記柱状スペーサと前記ダミースペーサとの間において、対応する画素電極に対する配置位置が互いに等しくなるように配置されていることを特徴とするものである。
請求項４に記載の発明は、請求項１から３の何れかに記載の液晶表示装置において、前記柱状スペーサ及び前記ダミースペーサは、前記画素電極に対して重ならない位置に配置され、前記配向制御用突起は、前記画素電極に対して重なる位置に配置されていることを特徴とするものである。
【手続補正６】
【補正対象書類名】明細書
【補正対象項目名】０００９
【補正方法】変更
【補正の内容】
【０００９】
この発明によれば、柱状スペーサの有無に起因する表示ムラを解消し、且つ、開口率が低下しないようにすることができる。
【手続補正書】
【提出日】平成23年6月7日(2011.6.7)
【手続補正１】
【補正対象書類名】明細書
【補正対象項目名】００２８
【補正方法】変更
【補正の内容】
【００２８】
空間光変調装置４は、発光管６から射出された光を画像信号に応じて変調する透過型液晶表示装置である。空間光変調装置４で変調された光がスクリーン（図示せず。）に投写されて映像が表示される。空間光変調装置４は、発光管６から射出された光の照射によって温度が上昇する。空間光変調装置４で発生した熱は、後述する伝熱手段２６を伝わって低温熱交換機（蒸発器）２４内部の冷媒に吸収される。なお、空間光変調装置４は、Ｒ光用、Ｇ光用、Ｂ光用の３つが備えられるが、そのうちの１つについてのみ図示して説明を進める。
【手続補正２】
【補正対象書類名】明細書
【補正対象項目名】００４０
【補正方法】変更
【補正の内容】
【００４０】
伝熱手段２６は、熱伝導性の高い材料、例えばアルミニウムや銅等の金属材料で構成されている。伝熱手段２６は、空間光変調装置１４と低温熱交換器２４内部の液相の冷媒との両方に接触させて設けられている。空間光変調装置１４で発生した熱は伝熱手段２６を伝わって低温熱交換機２４内部の冷媒に吸収され、空間光変調装置１４は冷却される。これにより、空間光変調装置１４の温度上昇による劣化を防いでプロジェクタ１の寿命を延ばすことができる。なお、伝熱手段２６のうち、低温熱交換器２４内部の冷媒に接触する部分をフィン構造として冷却効率を向上させてもよい。
【手続補正３】
【補正対象書類名】明細書
【補正対象項目名】００４７
【補正方法】変更
【補正の内容】
【００４７】
低温熱交換器２４内部を減圧するエジェクターポンプ１８の主ノズル１８ａを通過させる蒸気は、発光管６が発生する従来捨てられていた熱エネルギーで生成されるので、圧縮機を備えた冷却装置等を用いる場合に比べて、消費電力の削減を図ることができる。
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
各表示画像内に測定点が設けられる第１の表示画像及び第２の表示画像を用いて構成される１つの合成画像を表示する画像表示システムであって、
第１の基準パターンを含む前記第１の表示画像を表示する第１の画像表示装置と、
第２の基準パターンを含む前記第２の表示画像を表示する第２の画像表示装置と、
前記合成画像を撮像して、前記合成画像の画像情報を取得する撮像装置と、
前記画像情報に基づいて、前記第１の表示画像及び前記第２の表示画像の少なくとも１つを調整する制御を行う画像調整装置とを含み、
前記画像調整装置が、
前記撮像範囲内の前記第１の基準パターン及び前記第２の基準パターンを基準に前記各表示画像内における測定点の位置を算出し、該各表示画像内の測定点の位置に対応した前記撮像範囲内の位置における画像情報に基づいて前記第１の表示画像及び前記第２の表示画像の少なくとも１つを調整する制御を行うことを特徴とする画像表示システム。
【請求項２】
請求項１において、
前記第１の基準パターン及び前記第２の基準パターンが、
背景画像の輝度と異なる輝度を有する所定形状のパターンであることを特徴とする画像表示システム。
【請求項３】
請求項２において、
前記各基準パターンが、
背景画像の輝度と異なる輝度を有する矩形形状のパターンであることを特徴とする画像表示システム。
【請求項４】
請求項１乃至３のいずれかにおいて、
前記画像情報に基づいて、前記第１の基準パターン及び前記第２の基準パターンの少なくとも１つの形状を算出する基準パターン形状算出部と、
前記基準パターン形状算出部により算出された形状に基づいて当該基準パターンを含む表示画像のサイズを算出する表示画像サイズ算出部と、
前記表示画像サイズ算出部により算出された前記表示画像のサイズに基づいて、前記表示画像内の測定点の位置に対応する前記撮像範囲内における測定点の位置を算出する測定点位置算出部とを含み、
前記画像調整装置が、
前記測定点位置算出部により算出された位置の画像情報に基づいて、前記第１の表示画像及び前記第２の表示画像の少なくとも１つを調整する制御を行うことを特徴とする画像表示システム。
【請求項５】
請求項４において、
前記撮像範囲内の垂直方向の輝度ヒストグラムと水平方向の輝度ヒストグラムを算出する輝度ヒストグラム算出部と、
前記輝度ヒストグラム算出部により算出された輝度ヒストグラムに基づいて前記撮像範囲内の画像を分割する画像分割部と、
前記画像分割部により分割された画像内の基準パターンの辺を探索する基準パターン探索部とを含み、
前記基準パターン形状算出部が、
前記基準パターン探索部により探索された辺に基づいて、前記基準パターンの形状を算出することを特徴とする画像表示システム。
【請求項６】
請求項１において、
前記各基準パターンが、
前記各表示画像内の測定点の位置に配置された、背景画像の輝度と異なる輝度を有する所定形状のパターンであることを特徴とする画像表示システム。
【請求項７】
請求項１乃至６のいずれかにおいて、
前記画像調整装置が、
前記各表示画像の測定点における画像情報に基づいて、前記第１の表示画像及び前記第２の表示画像の少なくとも１つの輝度及び色度を調整する制御を行うことを特徴とする画像表示システム。
【請求項８】
請求項１乃至６のいずれかにおいて、
前記画像調整装置が、
前記各表示画像の測定点における画像情報に基づいて、前記第１の表示画像及び前記第２の表示画像の少なくとも１つの位置を調整する制御を行うことを特徴とする画像表示システム。
【請求項９】
各表示画像内に測定点が設けられる第１の表示画像及び第２の表示画像を用いて構成される１つの合成画像の画像調整方法であって、
第１の基準パターンを含む前記第１の表示画像と第２の基準パターンを含む前記第２の表示画像とを表示する画像表示ステップと、
前記合成画像を撮像して、前記合成画像の画像情報を取得する画像情報取得ステップと、
前記撮像範囲内の前記第１の基準パターン及び前記第２の基準パターンを基準に前記各表示画像内における測定点の位置を算出し、該各表示画像内の測定点の位置に対応した前記撮像範囲内の位置における画像情報に基づいて前記第１の表示画像及び前記第２の表示画像の少なくとも１つを調整する制御を行う画像調整ステップとを含むことを特徴とする画像調整方法。
【請求項１０】
請求項９において、
前記第１の基準パターン及び前記第２の基準パターンが、
背景画像の輝度と異なる輝度を有する所定形状のパターンであることを特徴とする画像調整方法。
【請求項１１】
請求項１０において、
前記各基準パターンが、
背景画像の輝度と異なる輝度を有する矩形形状のパターンであることを特徴とする画像調整方法。
【請求項１２】
請求項９乃至１１のいずれかにおいて、
前記画像情報に基づいて、前記第１の基準パターン及び前記第２の基準パターンの少なくとも１つの形状を算出する基準パターン形状算出ステップと、
前記基準パターン形状算出ステップにおいて算出された形状に基づいて当該基準パターンを含む表示画像のサイズを算出する表示画像サイズ算出ステップと、
前記表示画像サイズ算出ステップにおいて算出された前記表示画像のサイズに基づいて、前記表示画像内の測定点の位置に対応する前記撮像範囲内における測定点の位置を算出する測定点位置算出ステップとを含み、
前記画像調整ステップが、
前記測定点位置算出ステップにおいて算出された位置の画像情報に基づいて、前記第１の表示画像及び前記第２の表示画像の少なくとも１つを調整する制御を行うことを特徴とする画像調整方法。
【請求項１３】
請求項１２において、
前記撮像範囲内の垂直方向の輝度ヒストグラムと水平方向の輝度ヒストグラムを算出する輝度ヒストグラム算出ステップと、
前記輝度ヒストグラム算出ステップにおいて算出された輝度ヒストグラムに基づいて前記撮像範囲内の画像を分割する画像分割ステップと、
前記画像分割ステップにおいて分割された画像内の基準パターンの辺を探索する基準パターン探索ステップとを含み、
前記基準パターン形状算出ステップが、
前記基準パターン探索ステップにおいて探索された辺に基づいて、前記基準パターンの形状を算出することを特徴とする画像調整方法。
【請求項１４】
請求項９において、
前記各基準パターンが、
前記各表示画像内の測定点の位置に配置された、背景画像の輝度と異なる輝度を有する所定形状のパターンであることを特徴とする画像調整方法。
【請求項１５】
請求項９乃至１４のいずれかにおいて、
前記画像調整ステップが、
前記各表示画像の測定点における画像情報に基づいて、前記第１の表示画像及び前記第２の表示画像の少なくとも１つの輝度及び色度を調整する制御を行うことを特徴とする画像調整方法。
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
各表示画像内に測定点が設けられる第１の表示画像及び第２の表示画像を用いて構成される１つの合成画像を調整する画像調整装置であって、
前記合成画像を撮像した撮像装置からの画像情報に基づいて、前記各表示画像内の測定点の位置に対応する前記撮像範囲内の位置を算出する測定点位置算出部と、
前記測定点位置算出部によって算出された前記測定点の位置における画像情報に基づいて、前記第１の表示画像及び前記第２の表示画像の少なくとも１つを調整する制御を行う画像調整制御部とを含み、
前記第１の表示画像及び前記第２の表示画像は、
背景画像の輝度と異なる輝度を有する所定形状の基準パターンを含む同一の画像であり、
前記測定点位置算出部が、
前記撮像範囲内の前記基準パターンを基準に、前記各表示画像内における測定点の位置を算出することを特徴とする画像調整装置。
【請求項２】
請求項１において、
前記画像情報に基づいて、前記基準パターンの形状を算出する基準パターン形状算出部と、
前記基準パターン形状算出部により算出された形状に基づいて当該基準パターンを含む表示画像のサイズを算出する表示画像サイズ算出部とを含み、
前記測定点位置算出部が、
前記表示画像サイズ算出部により算出された前記表示画像のサイズに基づいて、前記表示画像内の測定点の位置に対応する前記撮像範囲内における測定点の位置を算出することを特徴とする画像調整装置。
【請求項３】
請求項２において、
前記撮像範囲内の垂直方向の輝度ヒストグラムと水平方向の輝度ヒストグラムを算出する輝度ヒストグラム算出部と、
前記輝度ヒストグラム算出部により算出された輝度ヒストグラムに基づいて前記第１の表示画像及び前記第２の表示画像を分割する画像分割部と、
前記画像分割部により分割された画像内の基準パターンの辺を探索する基準パターン探索部とを含み、
前記基準パターン形状算出部が、
前記基準パターン探索部により探索された辺に基づいて、前記基準パターンの形状を算出することを特徴とする画像調整装置。
【請求項４】
請求項１乃至３のいずれかにおいて、
前記各基準パターンが、
背景画像の輝度と異なる輝度を有する矩形形状のパターンであることを特徴とする画像調整装置。
【請求項５】
請求項１乃至４のいずれかにおいて、
前記各基準パターンが、
前記各表示画像の相似形の形状を有するパターンであることを特徴とする画像調整装置。
【請求項６】
請求項１乃至５のいずれかにおいて、
前記画像調整制御部が、
前記各表示画像の測定点における画像情報に基づいて、前記第１の表示画像及び前記第２の表示画像の少なくとも１つの輝度及び色度を調整する制御を行うことを特徴とする画像調整装置。
【請求項７】
請求項１乃至５のいずれかにおいて、
前記画像調整制御部が、
前記各表示画像の測定点における画像情報に基づいて、前記第１の表示画像及び前記第２の表示画像の少なくとも１つの位置を調整する制御を行うことを特徴とする画像調整装置。
【請求項８】
各表示画像内に測定点が設けられる第１の表示画像と第２の表示画像を用いて構成される１つの合成画像を表示する画像表示システムであって、
前記第１の表示画像を表示する第１の画像表示装置と、
前記第２の表示画像を表示する第２の画像表示装置と、
前記合成画像の画像情報を取得する撮像装置と、
請求項１乃至７のいずれか記載の画像調整装置とを含むことを特徴とする画像表示システム。
【請求項９】
各表示画像内に測定点が設けられる第１の表示画像及び第２の表示画像を用いて構成される１つの合成画像を調整する画像調整方法であって、
背景画像の輝度と異なる輝度を有する所定形状の基準パターンを含む第１の表示画像と該第１の表示画像と同一の第２の表示画像とを表示する画像表示ステップと、
前記合成画像を撮像して、前記合成画像の画像情報を取得する画像情報取得ステップと、
前記撮像範囲内の前記各基準パターンを基準に前記各表示画像内における測定点の位置を算出し、該各表示画像内の測定点の位置に対応した前記撮像範囲内の位置における画像情報に基づいて前記第１の表示画像及び前記第２の表示画像の少なくとも１つを調整する制御を行う画像調整ステップとを含むことを特徴とする画像調整方法。
【請求項１０】
請求項９において、
前記画像情報に基づいて、前記基準パターンの形状を算出する基準パターン形状算出ステップと、
前記基準パターン形状算出ステップにおいて算出された形状に基づいて当該基準パターンを含む表示画像のサイズを算出する表示画像サイズ算出ステップとを含み、
前記画像調整ステップが、
前記表示画像サイズ算出ステップにおいて算出された前記表示画像のサイズに基づいて、前記表示画像内の測定点の位置に対応する前記撮像範囲内における測定点の位置を算出することを特徴とする画像調整方法。
【請求項１１】
請求項１０において、
前記撮像範囲内の垂直方向の輝度ヒストグラムと水平方向の輝度ヒストグラムを算出する輝度ヒストグラム算出ステップと、
前記輝度ヒストグラム算出ステップにおいて算出された輝度ヒストグラムに基づいて前記第１及び第２の表示画像を分割する画像分割ステップと、
前記画像分割ステップにおいて分割された画像内の基準パターンの辺を探索する基準パターン探索ステップとを含み、
前記基準パターン形状算出ステップが、
前記基準パターン探索ステップにおいて探索された辺に基づいて、前記基準パターンの形状を算出することを特徴とする画像調整方法。
【請求項１２】
請求項９乃至１１のいずれかにおいて、
前記各基準パターンが、
背景画像の輝度と異なる輝度を有する矩形形状のパターンであることを特徴とする画像調整方法。
【請求項１３】
請求項９乃至１２のいずれかにおいて、
前記各基準パターンが、
前記各表示画像の相似形の形状を有するパターンであることを特徴とする画像調整方法。
【請求項１４】
請求項９乃至１３のいずれかにおいて、
前記画像調整ステップが、
前記各表示画像の測定点における画像情報に基づいて、前記第１の表示画像及び前記第２の表示画像の少なくとも１つの輝度及び色度を調整する制御を行うことを特徴とする画像調整方法。
【請求項１５】
請求項９乃至１４のいずれかにおいて、
前記画像調整ステップが、
前記各表示画像の測定点における画像情報に基づいて、前記第１の表示画像及び前記第２の表示画像の少なくとも１つの位置を調整する制御を行うことを特徴とする画像調整方法。
【手続補正書】
【提出日】平成23年8月6日(2011.8.6)
【手続補正１】
【補正対象書類名】明細書
【補正対象項目名】００５６
【補正方法】変更
【補正の内容】
【００５６】
装飾部材１３は、前述した各実施例とほとんど同様な形状に構成されているものであり、ここでは表示板６上に配置される装飾部材１３は、断面略四角形状に形成されており、視認者から正面視する表面側に設けられた目視側前面部１３ａと、表示板６上の指標部５側に位置する内側立ち上がり壁部１３ｂと、指標部５側とは反対側に面した外側立ち上がり壁部１３ｃと、表示板６上に設置される載置面部１３ｄとからなり、この第２実施例では、目視側前面部１３ａの高さ位置として表示板６の外周側平面部６０ｂとほぼ同一平面領域から表示板６の中央部側に向けて緩やかに傾斜する傾面によって目視側前面部１３ａが形成されている。また、内側立ち上がり壁部１３ｂは前述した各実施例とほぼ同様にして載置面部１３ｄと内側立ち上がり壁部１３ｂとのなす角度が鈍角に設定されている。
【手続補正２】
【補正対象書類名】明細書
【補正対象項目名】００５７
【補正方法】変更
【補正の内容】
【００５７】
また、第３実施例における凸目盛部１４の高さ寸法は、表示板６の中央部側平面部６０ａ側に位置した目視側前面部１３ａの高さ寸法とほぼ同等あるいは若干高い寸法となるように設定している。なお、凸目盛部１４による壁部は、指針４の回動中心部を基点として放射方向に延びて形成され、装飾部材１３に設けられた切り込みからなるスリット１３ｆの位置に突出した壁部からなる凸目盛部１４の一部の壁部箇所が配置されるように設けられており、他の凸目盛部１４の壁部箇所は表示板６上の指標部５側に向かって延びるように形成されている。
【手続補正３】
【補正対象書類名】明細書
【補正対象項目名】００６１
【補正方法】変更
【補正の内容】
【００６１】
また、光源９によって導光部材１５に入光した光線の一部によって凸目盛部１４側へと導かれ、凸目盛部１４が発光して照明表示される。これにより凸目盛部１４の照明表示と段差状に形成された表示板６の表面上に施されて透過照明される指標部５との前後方向の奥行き感によって立体的に照明表示することができる。この際、凸目盛部１４の照明時において、凸目盛部１４から洩れ出た光の一部が装飾部材１３の内側立ち上がり壁部１３ｂに当たって反射したとしても、これも同様にして視線方向に向けて進んでくる反射光線を抑えることができる。また、リング状の装飾部材１３に目盛に対応する箇所に切り込みからなるスリット１３ｆが設けられ、そのスリット１３ｆ箇所に壁状からなる凸目盛部１４の一部が配設された箇所においては、その凸目盛部１４から一部が洩れ出たとしても壁状からなる凸目盛部１４の回りに位置したスリット１３ｆの立ち壁部箇所に部分的に照射されるものであるため支障を来す虞もないものであり、場合によっては、スリット１３ｆの立ち壁部に反射された光線が壁状からなる凸目盛部１４へと新たに入光して凸目盛部１４を照明表示することで明るく凸目盛部１４が照らし出されるという効果も期待できる。
【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
連続的に搬送される複数の被検査対象物の各々を撮像し、前記被検査対象物にそれぞれ対応した検査画像データを作成する検査画像化手段と、
オペレータの操作を示す操作ログ及び／又は前記被検査対象物の検査の際に検査の環境異常を示すシステムログを含む文字情報ログから文字情報ログ画像データを作成するログ画像化手段と、
前記検査画像データ及び前記文字情報ログ画像データが得られた日時に応じて時系列で複数の前記検査画像データ及び前記文字情報ログ画像データを一元的に管理するデータ管理手段とを有することを特徴とする画像検査システム。
【請求項２】
前記検査画像データに応じて被検査対象物の検査を行う検査手段を更に備え、
前記文字情報ログは、前記検査手段における検査に関する検査ログを含むことを特徴とする請求項１に記載の画像検査システム。
【請求項３】
前記ログ画像化手段は、前記検査の環境異常に応じた複数の文字テンプレートを有し、前記システムログに前記検査の環境異常があると、前記文字テンプレートのうち当該環境異常に応じた文字テンプレートの画像化を行うことを特徴とする請求項１又は２に記載の画像検査システム。
【請求項４】
前記データ管理手段は、複数の前記検査画像データのうちのいずれか一つと、該検査画像データの時系列において隣接する他の一つの検査画像データとの間に前記文字情報ログ画像データを挿入して配列して管理しており、
複数の前記検査画像データ及び前記文字情報ログ画像データを時系列で画面上に表示する表示手段を有することを特徴とする請求項１乃至請求項３のいずれか１項に記載の画像検査システム。
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
試料を収容した１以上の容器を搭載し該容器の位置を調節可能な電動ステージと、該電動ステージ上に搭載された前記容器内の前記試料に照射するレーザ光を走査するスキャナと、該スキャナにより走査されたレーザ光を前記試料に集光する対物レンズと、該対物レンズによるレーザ光の照射により試料において発生した蛍光を検出して試料の画像を取得する画像取得部と、これらを収容する暗箱とを備える顕微鏡と、
前記電動ステージに対する前記容器の搭載位置を記憶する記憶部と、
該記憶部に記憶された前記容器の搭載位置に基づいて、前記画像取得部により取得する容器内の部分画像の取得位置を設定する画像取得位置設定部と、
該画像取得位置設定部により設定された取得位置に基づいて、前記容器毎に複数枚の部分画像を取得するように前記顕微鏡を制御する制御部と、
前記容器毎に取得された複数枚の部分画像を配列しマップ画像を生成するマップ画像生成部とを備える顕微鏡システム。
【請求項２】
前記容器を保持するホルダ部を有し、前記電動ステージへ搭載される試料ホルダをさらに備え、
前記記憶部は、前記試料ホルダの前記ホルダ部に関する位置情報を記憶し、
前記画像取得位置設定部は、前記記憶部に記憶された前記位置情報を用いて前記部分画像の前記取得位置を設定する請求項１に記載の顕微鏡システム。
【請求項３】
前記容器を保持するホルダ部を有し、前記電動ステージへ搭載される試料ホルダと、
前記試料ホルダの種類を検出するセンサとをさらに備え、
前記記憶部は、前記試料ホルダの前記ホルダ部に関する位置情報を記憶し、
前記画像取得位置設定部は、前記センサにより検出された前記試料ホルダの種類に対応する前記位置情報を用いて前記部分画像の前記取得位置を設定する請求項１に記載の顕微鏡システム。
【請求項４】
前記位置情報は、前記ホルダ部に保持される前記容器の略中心を示す情報を含み、
前記画像取得位置設定部は、前記容器の略中心から一方向へ回転する順序で隣接する部分画像を取得するように前記取得位置および取得順序を設定する請求項３に記載の顕微鏡システム。
【請求項５】
前記制御部が、前記画像取得部により取得される前記部分画像の取得に際して、前記容器毎に少なくとも１回合焦動作を行うよう前記顕微鏡を制御する請求項１から請求項４のいずれかに記載の顕微鏡システム。
【請求項６】
前記画像取得位置設定部が、前記容器のほぼ中央から一方向に回転する順序で、隣接する前記部分画像を取得するように取得位置を設定する請求項１から請求項５のいずれかに記載の顕微鏡システム。
【請求項７】
前記電動ステージが相互に交差する複数の移動軸を備え、
前記画像取得位置設定部が、前記複数の移動軸に交差する方向に隣接する部分画像を取得するように取得位置を設定する請求項１から請求項６のいずれかに記載の顕微鏡システム。
【請求項８】
前記制御部が、多重染色された試料のマップ画像を生成する場合に、一部の蛍光色について容器毎に複数の部分画像を取得した後、取得された部分画像中で蛍光の存在する部分画像の取得位置において、他の蛍光色についても部分画像を取得するよう前記顕微鏡を制御し、
前記マップ画像生成部は、複数の蛍光色について取得された部分画像を合成してマップ画像を生成する請求項１から請求項７のいずれかに記載の顕微鏡システム。
【請求項９】
前記制御部が、前記対物レンズの焦点位置を光軸方向に異ならせて複数組の部分画像群を取得するよう前記顕微鏡を制御し、
前記マップ画像生成部は、取得された複数組の部分画像群を合成してマップ画像を生成する請求項１から請求項８のいずれかに記載の顕微鏡システム。
【請求項１０】
前記制御部が、マップ画像を生成するための部分画像の取得に際して、被写界深度を増大させるよう前記顕微鏡を制御する請求項１から請求項９のいずれかに記載の顕微鏡システム。
【手続補正２】
【補正対象書類名】図面
【補正対象項目名】図１
【補正方法】変更
【補正の内容】
【図１】
2010085420.tif 000001
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
表示パネルと、
表示パネルを収容する収容部と、
表示パネルの側面側に形成され垂直方向に延びる通気部と、
表示パネルの裏面側に配置され前記通気部に延びる複数のヒートパイプと、
前記複数のヒートパイプのそれぞれを両側から挟むように接続される放熱部材を備え、
前記放熱部材は、前面側に配備される第１放熱部と、背面側に配備される第２放熱部とを含み、
前記各放熱部は、ヒートパイプを勘合するための溝部を有する画像表示装置。
【手続補正２】
【補正対象書類名】明細書
【補正対象項目名】０００７
【補正方法】変更
【補正の内容】
【０００７】
本発明に係る画像表示装置は、表示パネルと、表示パネルを収容する収容部と、表示パネルの側面側に形成され垂直方向に延びる通気部と、表示パネルの裏面側に配置され前記通気部に延びる複数のヒートパイプと、前記複数のヒートパイプのそれぞれを両側から挟むように接続される放熱部材を備え、前記放熱部材は、前面側に配備される第１放熱部と、背面側に配備される第２放熱部とを含み、前記各放熱部は、ヒートパイプを勘合するための溝部を有する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
本発明に係る画像表示装置によれば、屋外に設置することが可能であり、且つ表示パネルの機能を良好な状態に維持することが可能である。更に、各ヒートパイプに対する放熱フィンの取付け作業を簡略化がすることができる。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
表示パネルと、
前記表示部を収容する収容部と、
前記表示パネルの背面側に配備され、前記収容部の空気を前記表示部の周囲で循環させる循環手段と、
前記表示パネルの背面側に配備された広告部と、
前記広告部を前記表示パネル側から照明する照明部と、を備え、
前記照明部は、前記循環手段の下方位置に配備されることを特徴とする、画像表示装置。 
【請求項２】
表示パネルと、
前記表示パネルの背面側に配備され、前記表示パネルの前面に空気の流れを形成するためのファンと、
前記表示パネルの背面側に配備された広告部と、
前記広告部を前記表示パネル側から照明する照明部と、を備え、
前記照明部は、前記ファンの下方位置に配備されることを特徴とする、画像表示装置。
【手続補正書】
【提出日】平成23年8月24日(2011.8.24)
【手続補正１】
【補正対象書類名】特許請求の範囲
【補正対象項目名】全文
【補正方法】変更
【補正の内容】
【特許請求の範囲】
【請求項１】
表示パネルと、
前記表示パネルを収容する収容部と、
前記収容部の空気を前記表示部の周囲で循環させる循環手段と、
前記表示パネルの背面に配備され、前記空気から熱を回収する熱交換部と、
前記熱交換部と前記表示パネルの間に設けられた断熱部材と、
を備える画像表示装置。
【請求項２】
表示パネルと、
前記表示パネルを収容する収容部と、
前記表示パネルの前面に空気の流れを形成するためのファンと、
前記表示パネルの背面に配備され、空気から熱を回収する熱交換部と、
前記熱交換部と前記表示パネルの間に設けられた断熱部材と、
を備える画像表示装置。